(57)【要約】【課題】外部から取得される電子番組表を、その電子番組表上で既に録画された番組をユーザが判別できるように加工し、さらには電子番組表から既録画番組を選択して再生できる記録再生装置を提供する。【解決手段】記録再生装置１は、複数の番組からなる電子番組表を外部から取得する番組情報入力Ｉ／Ｆ部２２、既録画番組に関する録画情報を記憶するメモリ３２、記憶した録画情報に基づいて前記電子番組表を加工する表示画像信号処理部３５、加工した電子番組表の表示を制御する表示制御部１４、表示された電子番組表から前記既録画番組を選択することにより当該既録画番組を再生するデータデコード部１３を備える。表示画像信号処理部３５は、メモリ３２に記憶した録画情報に対応する既録画番組の表示形態（例えば、番組欄の色など）が他の番組と異なるように前記電子番組表を加工する。【選択図】図１
2005295173.tif 000002
【特許請求の範囲】
【請求項１】
複数の番組からなる電子番組表を外部から取得する電子番組表取得手段と、既に録画された番組に関する録画情報を記憶する録画情報記憶手段と、該記憶した録画情報に基づいて前記電子番組表を加工する電子番組表加工手段とを備え、該電子番組表加工手段は、前記記憶した録画情報に対応する既録画番組の表示形態が他の番組と異なるように前記電子番組表を加工することを特徴とする記録再生装置。
【請求項２】
請求項１に記載の記録再生装置において、前記電子番組表加工手段によって加工した電子番組表の表示を制御する表示制御手段と、該表示された電子番組表から前記既録画番組を選択することにより当該既録画番組を再生する番組再生手段とを備えていることを特徴とする記録再生装置。
【請求項３】
請求項１に記載の記録再生装置において、前記録画情報記憶手段は、前記電子番組表取得手段によって取得した電子番組表を記憶することを特徴とする記録再生装置。
【請求項４】
請求項３に記載の記録再生装置において、前記電子番組表加工手段は、前記録画情報記憶手段に記憶した電子番組表と、前記既録画番組の録画情報とを同時表示できるように前記電子番組表を加工することを特徴とする記録再生装置。
【請求項５】
請求項４に記載の記録再生装置において、前記録画情報は、前記既録画番組の録画所要時間を含むことを特徴とする記録再生装置。
【請求項６】
請求項１に記載の記録再生装置において、録画予約された番組に関する録画予約情報を記憶する録画予約情報記憶手段を備え、前記電子番組表加工手段は、前記記憶した録画予約情報に対応する録画予約番組の表示形態が他の番組と異なるように前記電子番組表を加工することを特徴とする記録再生装置。
【請求項７】
複数の番組からなる電子番組表を取得して記憶する外部機器と、該外部機器と通信可能に接続された記録再生装置とを備えた記録再生システムにおいて、前記記録再生装置は、既に録画された番組に関する録画情報を記憶する手段と、録画予約された番組に関する録画予約情報を記憶する手段とを備え、前記外部機器は、前記記録再生装置から前記録画情報あるいは録画予約情報を取得する手段と、該取得した前記録画情報あるいは録画予約情報に対応する番組の表示形態が他の番組と異なるように前記電子番組表を加工する手段と、該加工した電子番組表を表示する手段とを備えていることを特徴とする記録再生システム。
【請求項８】
複数の番組からなる電子番組表を外部から取得する電子番組表取得ステップと、既に録画された番組に関する録画情報を記憶手段に記憶する録画情報記憶ステップと、該記憶した録画情報に対応する既録画番組の表示形態が他の番組と異なるように前記電子番組表を加工する電子番組表加工ステップと、該加工した電子番組表の表示を制御する表示制御ステップと、該表示された電子番組表から前記既録画番組を選択することにより当該既録画番組を再生する番組再生ステップとを有していることを特徴とする録画番組再生方法。
【請求項９】
録画予約された番組に関する録画予約情報を記憶手段に記憶する録画予約情報記憶ステップを有し、前記電子番組表加工ステップにおいて、前記記憶した録画予約情報に対応する録画予約番組の表示形態が他の番組と異なるように前記電子番組表を加工することを特徴とする請求項８に記載の録画番組再生方法。
【発明の詳細な説明】
【技術分野】
【０００１】
本発明は、記録再生装置、システム、及び録画番組再生方法、より詳細には、デジタルテレビジョン放送やケーブルテレビジョン放送の番組を記録再生する記録再生装置、システム、及び録画番組再生方法に関する。
【背景技術】
【０００２】
現在、衛星などを用いたデジタルテレビジョン放送が実用化されつつある。衛星を用いたデジタルテレビジョン放送では多チャンネル化がなされ、そのチャンネル数は、例えば、百数十チャンネルにも及ぶ。また、数十〜数百のチャンネル数のケーブルテレビジョン放送が既に実用化されている。このような多チャンネル化により、放送番組に関する情報が大きくなるため、従来の新聞や雑誌などの番組表だけでは対処しきれない場合がある。
【０００３】
そこで、このようなデジタルテレビジョン放送では、放送予定の番組表を電子配信し、テレビジョン画面上に表示させて、この電子番組表より見たい番組をユーザが選択できるような番組表電子配信システムが用いられている。このような電子番組表のことをＥＰＧ（Ｅｌｅｃｔｒｏｎｉｃ  Ｐｒｏｇｒａｍ  Ｇｕｉｄｅ）と呼ぶ。
【０００４】
従来の番組表電子配信システムでは番組のチャンネル、放送時間、タイトル名などの文字情報が送信される。ユーザは送信されてきた番組表から見たい番組を探し、その番組のチャンネルと放送時間をメモし、その時間になったらそのチャンネルに設定して番組を視聴したり、その番組のチャンネルと放送時間を予めタイマ設定しておいて後で視聴するようなことが行われている。
【０００５】
しかしながら、上記のごとく方法では、例えば番組の見落としなどにより希望の番組を見るのを忘れてしまう場合がある。さらに、タイマ設定も番組表を調べて設定を行う必要がありユーザの手を煩わせることになる。また、番組表についても文字情報のみで内容などの把握ができない。
【０００６】
そこで、特許文献１には、番組関連情報を搬送波で変調（ＩｒＤＡなど）して録画機に情報を転送することにより、簡単に番組録画予約や番組詳細情報を入手できるようにした方法が開示されている。
【０００７】
さらに、特許文献２には、ユーザがあらかじめキーワードを入力して、キーワードに沿った番組を自動的に録画していく方式や、ユーザの番組嗜好などを録画再生装置が記憶して、自動的に好みの番組を録画していく録画再生装置が開示されている。また、特許文献３には、ユーザの番組嗜好で番組選択を行い、ユーザが録画する番組を選択する方法が開示されている。このように、ユーザの嗜好にあわせて自動的に番組を録画していく方式が多く開示されている。
【特許文献１】特開平９−４４９３２号公報
【特許文献２】特開平７−１３５６２１号公報
【特許文献３】特開２００３−３１９３０４号公報
【発明の開示】
【発明が解決しようとする課題】
【０００８】
しかしながら、上記した番組録画によって録画した番組数が、ユーザが覚えていられる範囲であればいいが、数多くの番組を録画している場合ではせっかく録画した番組を見忘れたままで放置してしまう場合が多く、見忘れないように確認する必要がある。また、キーワード検索などで自動的に録画していくような場合では正常に録画できたかどうかを確認する必要がある。また、古い録画データは順次削除されていくため、見忘れてしまった場合はそのまま削除されてしまう可能性もある。
【０００９】
本発明は、上述のごとき実情に鑑みてなされたものであり、既に録画された番組あるいは録画予約された番組をユーザが簡単に判別することができる記録再生装置、システム、及び録画番組再生方法を提供すること、を目的としてなされたものである。
より具体的には、外部から取得されるＥＰＧなどの電子番組表を、その電子番組表上で既に録画された番組あるいは録画予約された番組をユーザが判別できるように加工し、さらには、電子番組表から録画番組を選択して再生できるようにすること、をその目的とする。
【課題を解決するための手段】
【００１０】
本発明の記録再生装置は、外部から取得されるＥＰＧなどの電子番組表を、その電子番組表上で既に録画された番組あるいは録画予約された番組をユーザが判別できるように加工し、さらには、電子番組表から録画番組を選択して再生することができるようにしたものである。
【００１１】
本発明の第１の技術手段は、複数の番組からなる電子番組表を外部から取得する電子番組表取得手段と、既に録画された番組に関する録画情報を記憶する録画情報記憶手段と、該記憶した録画情報に基づいて前記電子番組表を加工する電子番組表加工手段とを備え、該電子番組表加工手段は、前記記憶した録画情報に対応する既録画番組の表示形態が他の番組と異なるように前記電子番組表を加工することを特徴としたものである。
【００１２】
本発明の第２の技術手段は、第１の技術手段において、前記電子番組表加工手段によって加工した電子番組表の表示を制御する表示制御手段と、該表示された電子番組表から前記既録画番組を選択することにより当該既録画番組を再生する番組再生手段とを備えていることを特徴としたものである。
【００１３】
第３の技術手段は、第１の技術手段において、前記録画情報記憶手段は、前記電子番組表取得手段によって取得した電子番組表を記憶することを特徴としたものである。
【００１４】
第４の技術手段は、第３の技術手段において、前記電子番組表加工手段は、前記録画情報記憶手段に記憶した電子番組表と、前記既録画番組の録画情報とを同時表示できるように前記電子番組表を加工することを特徴としたものである。
【００１５】
第５の技術手段は、第４の技術手段において、前記録画情報は、前記既録画番組の録画所要時間を含むことを特徴としたものである。
【００１６】
第６の技術手段は、第１の技術手段において、録画予約された番組に関する録画予約情報を記憶する録画予約情報記憶手段を備え、前記電子番組表加工手段は、前記記憶した録画予約情報に対応する録画予約番組の表示形態が他の番組と異なるように前記電子番組表を加工することを特徴としたものである。
【００１７】
第７の技術手段は、複数の番組からなる電子番組表を取得して記憶する外部機器と、該外部機器と通信可能に接続された記録再生装置とを備えた記録再生システムにおいて、前記記録再生装置は、既に録画された番組に関する録画情報を記憶する手段と、録画予約された番組に関する録画予約情報を記憶する手段とを備え、前記外部機器は、前記記録再生装置から前記録画情報あるいは録画予約情報を取得する手段と、該取得した前記録画情報あるいは録画予約情報に対応する番組の表示形態が他の番組と異なるように前記電子番組表を加工する手段と、該加工した電子番組表を表示する手段とを備えていることを特徴としたものである。
【００１８】
第８の技術手段は、複数の番組からなる電子番組表を外部から取得する電子番組表取得ステップと、既に録画された番組に関する録画情報を記憶手段に記憶する録画情報記憶ステップと、該記憶した録画情報に対応する既録画番組の表示形態が他の番組と異なるように前記電子番組表を加工する電子番組表加工ステップと、該加工した電子番組表の表示を制御する表示制御ステップと、該表示された電子番組表から前記既録画番組を選択することにより当該既録画番組を再生する番組再生ステップとを有していることを特徴としたものである。
【００１９】
第９の技術手段は、第８の技術手段において、録画予約された番組に関する録画予約情報を記憶手段に記憶する録画予約情報記憶ステップを有し、前記電子番組表加工ステップにおいて、前記記憶した録画予約情報に対応する録画予約番組の表示形態が他の番組と異なるように前記電子番組表を加工することを特徴としたものである。
【００２０】
上記技術手段によると、外部より取得したＥＰＧなどの電子番組表上で既に録画された番組あるいは録画予約された番組を判別でき、ユーザが電子番組表上で既に録画された番組の中から見たい番組を簡単且つ迷わずに選択して再生することができるため、録画番組を誤って消去したり、見逃したりすることがなくなる。
【発明の効果】
【００２１】
外部から取得されるＥＰＧなどの電子番組表を、その電子番組表上で既に録画された番組あるいは録画予約された番組をユーザが判別できるように加工し、さらには、電子番組表から録画番組を簡単且つ迷わずに選択して再生することができるため、録画番組を誤って消去したり、見逃したりすることがなくなる。
【発明を実施するための最良の形態】
【００２２】
（実施例）
図１は、本発明の一実施形態に係る記録再生装置の構成例を説明するための回路ブロック図で、図中、１は記録再生装置、２はパーソナルコンピュータ（以下、ＰＣ）などの外部機器を示す。記録再生装置１は、入力された放送データをハードディスク（ＨＤ）や光ディスク（ＣＤ，ＤＶＤなど）に記録する記録機能と、ＨＤや光ディスクに記録された放送データの再生機能とを備えている。
【００２３】
本記録再生装置１は、主記録再生部１０，番組情報入出力部２０，制御部３０から構成されている。さらに、主記録再生部１０はデータエンコード部１１，ディスクドライブ部１２，データデコード部１３，表示制御部１４，及び再生データ出力Ｉ／Ｆ（インタフェイス）部１５からなり、番組情報入出力部２０は録画／予約情報出力Ｉ／Ｆ部２１，番組情報入力Ｉ／Ｆ部２２，ユーザ入力部２３からなり、制御部３０はＭＰＵ（マイクロプロセッサ）３１，メモリ３２，サムネイル作成部３３，時間設定部３４，表示画像信号処理部３５からなる。
【００２４】
尚、記録再生装置１は、デジタルテレビジョン放送を受信するためのチューナ（図示せず）を備える構成としてもよく、この場合、放送局等の外部から送信されてくるＥＰＧなどの電子番組表を番組情報入力Ｉ／Ｆ部２２を介して取得することができる。また、記録再生装置１は、電子番組表を受信して記録することができる外部機器２と番組情報入力Ｉ／Ｆ部２２を介して接続可能とし、外部機器２から電子番組表を取得してもよい。メモリ３２は、上記取得した電子番組表や、番組の録画や録画予約に関する情報（以下、録画／予約情報という）を記憶する。
【００２５】
記録再生装置１は、外部から番組情報入力Ｉ／Ｆ部２２を介して取得した電子番組表を、メモリ３２に記憶された録画／予約情報に対応する既録画あるいは録画予約された番組をユーザが判別できるように加工する機能を備える。この機能は、上記表示画像信号処理部３５により実行され、例えば、電子番組表上の該当番組（すなわち、既録画あるいは録画予約された番組）の色を、他の番組と異なる色に加工することにより、ユーザが電子番組表を一見してどの番組を録画あるいは録画予約したのかがわかるように表示する。この表示制御は表示制御部１４により実行される。尚、電子番組表上の該当番組の色とは、該当番組の表示欄の背景色や、その表示欄に含まれる文字色、さらにはその両方などが含まれる。
【００２６】
また、表示画像信号処理部３５は、上記色の違いに限らず、例えば、該当番組の文字サイズ，文字種などを異ならせて表示したり、該当番組に文字（例えば「既録画」，「録画予約」など）や，図形（例えばアイコンなど），記号などの識別情報を付与するといった方法により、上記電子番組表における既録画あるいは録画予約された番組の表示形態が、他の番組と異なる表示となるように加工することができる。
【００２７】
また、別の実施形態として、電子番組表を記憶した外部機器２が、記録再生装置１の録画／予約情報出力Ｉ／Ｆ部２１を介して録画／予約情報を取得できるようにしてもよく、この場合、外部機器２は、記録再生装置１から取得される録画／予約情報に対応する既録画あるいは録画予約された番組が、電子番組表上でユーザによって判別できるように電子番組表を加工する機能を備えるようにしてもよい。すなわち、外部機器２側に表示画像信号処理部３５を備え、ユーザが電子番組表を一見してどの番組を録画あるいは録画予約したのかがわかるように加工して表示するようにしてもよい。
【００２８】
図１において、放送データの記録時には、外部から入力されてくる放送データをデータエンコード部１１で記録可能なフォーマットのデータ形式に変換し、ディスクドライブ部１２に転送してＨＤやＤＶＤなどの記録媒体に記録する。このとき記録される放送データに関する情報として、例えば、記録した日時，データ量，その放送データの固有情報（例えば番組名、出演者など）をメモリ３２に記憶させておく。
【００２９】
番組の録画予約を行う場合は、ユーザがキー操作などで手入力した録画開始時刻などの録画予約情報をユーザ入力部２３より入力してメモリ３２と時間設定部３４に記憶しておき、設定した録画開始時刻になったら録画動作を開始する。また、番組情報入力Ｉ／Ｆ部２２を介して外部より取得した電子番組表（例えば、ＥＰＧなど）をメモリ３２と時間設定部３４に記憶してもよい。この場合、メモリ３２に記憶された電子番組表をユーザが画面上から参照して手入力などで録画予約情報を入力し、所定の時刻になったらメモリ３２に記憶されている上記録画予約情報を元に録画動作を開始する。このとき取得した電子番組表はメモリ３２に記憶させておき、ユーザが画面上でいつでも参照できるようにする。
【００３０】
また、記録再生装置１は、外部から配信される電子番組表をその都度取得、更新する機能を備えている。例えば、番組情報入力Ｉ／Ｆ部２２を介して入力される電子番組表をメモリ３２に記憶し、メモリ３２の記憶容量が一杯になったら古いものから順次置き換えていくか、ユーザが削除したい電子番組表を選択して削除を行ってもよい。また、外部機器２を番組情報入力Ｉ／Ｆ部２２を介して接続した場合、外部機器２が電子番組表を取得したかどうかを、記録再生装置１側で常にモニタできるように設定しておく。
【００３１】
番組の録画や録画予約に関する情報（録画／予約情報）と共に、電子番組表がメモリ３２に記憶されている場合、メモリ３２の電子番組表及び録画／予約情報の両方を表示画像信号処理部３５に転送し、表示画像信号処理部３５は、転送された電子番組表を、録画／予約情報に対応する既録画あるいは録画予約された番組がユーザによって判別できるように加工する。そして、表示画像信号処理部３５は、加工した電子番組表を表示制御部１４に転送して表示する。尚、電子番組表の加工方法には、例えば、既録画あるいは録画予約された番組に対応する上記電子番組表上の番組の色を変えて、他の番組と異なる表示を行う方法などがあり、ユーザが見ただけで既録画あるいは録画予約した番組を判別できるように加工できればよく、その方法は問わない。
【００３２】
また、記録再生装置１が外部機器２と接続されている場合、メモリ３２に記憶された録画／予約情報を録画／予約情報出力Ｉ／Ｆ部２１を介して外部機器２に転送し、外部機器２が、記録再生装置１から受け取った録画／予約情報と、外部から取得した電子番組表とを参照し、その電子番組表を加工して表示することで、ユーザが一見して録画あるいは録画予約した番組を判別できるようにしてもよい。
【００３３】
また、ＨＤ又はＤＶＤに記録されている映像データの再生の場合、基本的にはユーザ入力部２３より入力した再生情報よりディスクドライブ部１２がＨＤ又はＤＶＤから再生する映像データを読み出し、データデコード部１３でデコードを行い、表示制御部１４に転送されて再生データ出力Ｉ／Ｆ部１５を介してテレビモニタ（ＣＲＴやＬＣＤなど）などに再生画像が映し出される。
【００３４】
上記したように、記録再生装置１は、メモリ３２に電子番組表が記憶されている場合、この電子番組表と共に、ユーザから入力された録画／予約情報を表示画像信号処理部３５に転送し、表示画像信号処理部３５は、転送された録画／予約情報に基づいて電子番組表を加工し、加工した電子番組表を表示制御部１４に転送して画面表示を行う。
【００３５】
図２は、録画／予約情報が反映された電子番組表の画面例を示す図である。図２（Ａ）は電子番組表の画面例を示し、図２（Ｂ）は図２（Ａ）に示す電子番組表に録画／予約情報を反映させた画面例を示す図である。尚、本例では、電子番組表としてＥＰＧを適用した場合を代表例として説明する。
【００３６】
図２（Ｂ）に示すように、記録再生装置１は、メモリ３２に保存されていた録画／予約情報を反映させてＥＰＧを加工し、既に録画された番組、さらには録画予約している番組に対応する番組情報の色を変えるなどしてユーザが見ただけでわかるようにする。さらに、既録画番組の録画／予約情報としては、番組名，出演者だけでなく、サムネイル作成部３３で作成された番組のサムネイル情報や、時間設定部３４で設定された録画所要時間（録画開始／終了時刻）などの当該録画番組に関する固有情報を表示するようにしてもよく、これにより、ユーザは既に録画された番組の内容を簡単に把握することができ、再生時に迷うことなく番組選択を行うことができる。
【００３７】
ユーザは、上記加工されたＥＰＧを見て再生する番組を選択する。具体的には、加工されたＥＰＧから目的とする番組をユーザ入力部２３で手入力するなどして選択する。選択はマウスなどのポインタあるいはカーソルなどで行う。この番組選択情報はＭＰＵ３１を介してディスクドライブ部１２、データデコード部１３に送られ、目的とする番組をディスクドライブ部１２でサーチして順次データデコード部１３に転送していくことで再生を行う。
【００３８】
本発明によると、外部より取得した電子番組表上で既に録画した番組の欄を色付けするなどして明示するため、ユーザはどの番組を録画しているかを簡単且つ迷わずに判別することができ、さらには、電子番組表から所望の録画番組を選択することにより簡単に再生することができる。
【００３９】
また、外部より取得した電子番組表を記憶させることができるため、この電子番組表上から以前に放送された番組を録画しているか否かも簡単に判別することができる。
【００４０】
また、既に録画している番組の画像情報などを記憶させることができるため、番組の画像情報をサムネイルなどにして電子番組表上で表示させてどのような内容の番組を録画しているかを簡単に知ることができる。
【００４１】
また、既に録画している番組の時間情報（録画時刻，録画時間など）を保存し、この時間情報を電子番組表に反映させるなどして同時に表示させることができるため、いつ録画された（放送された）番組なのかを簡単に判別することができる。
【００４２】
また、外部より取得した電子番組表上に、既に録画した番組、既に録画予約している番組、あるいは今後録画予定の番組が表示されるため、今後録画される番組を事前に判別することができる。
【００４３】
次に、記録再生装置１にＰＣなどの外部機器２を接続した記録再生システムの実施形態について説明する。
外部機器２は、外部から取得したＥＰＧなどの電子番組表に、録画／予約情報出力Ｉ／Ｆ部２１から取得した録画／予約情報を反映させて表示する機能を備える。表示形態としては例えば図２（Ｂ）に示すような録画／予約情報に応じた番組情報の色を変えるなどしてユーザに明示した形で表示を行い、ユーザは表示された電子番組表から所望の番組を選択して再生を行う。この際、ユーザが選択した番組選択情報は番組情報入力Ｉ／Ｆ部２２を介してＭＰＵ３１に入力され、ディスクドライブ部１２，データデコード部１３に送られる。
【００４４】
本発明によると、録画予約状況が常に反映された電子番組表をＰＣ等の外部機器に表示することができるため、常にリアルタイムで録画予約状況を判別することができ、さらに電子番組表から直接再生することができる。
【００４５】
図３は、本発明が適用される録画番組再生方法の一例を説明するためのフロー図である。本例は、図１に示した記録再生装置１を用いて実行される録画番組再生方法について説明するものとする。
記録再生装置１は、番組情報入力Ｉ／Ｆ部２２を介して外部より電子番組表を取得し（ステップＳ１）、取得した電子番組表をメモリ３２に保存する（ステップＳ２）。一方、ユーザにより録画（ステップＳ３）あるいは録画予約（ステップＳ４）がなされる。このとき、どの番組を録画あるいは録画予約したかなどの情報を含む録画／予約情報をメモリ３２に保存する（ステップＳ５）。尚、上記ステップＳ３とステップＳ４は順序が前後してもよい。
【００４６】
次に、記録再生装置１は、メモリ３２に保存した電子番組表及び録画／予約情報を表示画像信号処理部３５に転送し、表示画像信号処理部３５は、録画／予約情報に基づいて電子番組表を加工して表示制御部１４に転送し、表示制御部１４は、加工された電子番組表を表示する（ステップＳ７）。ユーザは、表示された電子番組表上で既録画番組を調査し、その結果、ユーザが電子番組表から選択した録画番組に対して再生命令を行い（ステップＳ８）、選択された録画番組が再生される（ステップＳ９）。尚、外部機器２に録画／予約情報出力Ｉ／Ｆ部２１を介して番組の録画／予約情報を転送するようにしてもよく、この場合、外部機器２が電子番組表を加工し、上記録画／予約情報が反映された電子番組表を表示する。
【００４７】
このように、ユーザは、ユーザに配信される電子番組表から、既に録画された番組あるいは録画予約された番組を簡単且つ迷わずに調査することができ、さらに、配信された電子番組表から既に録画された番組を選択することで当該番組を再生することができるため、既録画番組のサーチ及び選択を、間違いや漏れがなく、簡単に実行することができる。
【図面の簡単な説明】
【００４８】
【図１】本発明の一実施形態に係る記録再生装置の構成例を説明するための回路ブロック図である。
【図２】録画／予約情報が反映された電子番組表の画面例を示す図である。
【図３】本発明が適用される録画番組再生方法の一例を説明するためのフロー図である。
【符号の説明】
【００４９】
１…記録再生装置、２…外部機器、１０…主記録再生部、１１…データエンコード部、１２…ディスクドライブ部、１３…データデコード部、１４…表示制御部、１５…再生データ出力Ｉ／Ｆ部、２０…番組情報入出力部、２１…録画／予約情報出力Ｉ／Ｆ部、２２…番組情報入力Ｉ／Ｆ部、２３…ユーザ入力部、３０…制御部、３１…ＭＰＵ（マイクロコンピュータ）、３２…メモリ、３３…サムネイル作成部、３４…時間設定部、３５…表示画像信号処理部。
【図１】
2005295173.tif 000003
【図２】
2005295173.tif 000004
【図３】
2005295173.tif 000005